(57)【要約】      （修正有）【課題】使用済みのペットボトルを強化プラスチックの枠で囲み，緩衝材として道路に設置すれば、車両が激突した時の衝撃を和らげる役目を果たし、大事故を防止すること。【解決手段】使用済みのペットボトル３に水を入れるか又は空のままキャップ４を完全に閉めた状態にして強化プラスチック枠の下段に並べて置く、強化プラスチック枠の下段がペットボトルで満杯になったら接着面５に強力な接着剤を充填して強化プラスチック枠の上段２を強化プラスチック枠の下段に被せて完全に接着する。この様に制作したブロックを何個でも横に繋げる様に接着したり、何段にも積み上げて接着したりすれば、設置する道路の現場に合わせることが容易に出来るため、どんな設置場所の状況にも対応が可能な緩衝材として役立つ。【選択図】  図５
0003116770.tif 000002
【実用新案登録請求の範囲】
【請求項１】
使用済みのペットボトルが縦に隙間なく納まる様にペットボトルの形状と同じへこみを模った強化プラスチック枠を用意し、上半分のへこみは強化プラスチック枠の上段にし、下半分のへこみは強化プラスチック枠の下段に分かれた枠にする。ペットボトルに水を入れるか、又は、空のままキャップを完全に閉めた状態にして、強化プラスチック枠の下段に並べて置く、強化プラスチック枠の下段をペットボトルで満杯にし、接着面に強力な接着剤を充填して強化プラスチック枠の上段を強化プラスチック枠の下段に被せて接着する、出来た強化プラスチック枠のブロックを縦に何段も積み上げ、又は、横に繋げて並べ、強力な接着剤で接着しベルトなどで強化プラスチック枠のブロックをまとめて固定する。強化プラスチック枠のブロックに車両が衝突しても衝撃は、ブロック内のペットボトルに伝わりペットボトル一つ一つが衝撃を分散して吸収する為、車両の大破が防げる。
【考案の詳細な説明】
【技術分野】
【０００１】本考案は、車両の激突における衝撃を和らげる緩衝材に使用済みペットボトルを利用した、車両の激突における衝撃の緩衝材に関するものである。
【背景技術】
【０００２】従来、車両の激突における衝撃を和らげる方法は、水を入れた円すい形の緩衝材やタイヤの外側を並べたりしていたが、車両が衝突すると水を入れた円すい形の緩衝材は簡単に破裂したり、タイヤだと衝突した車両が大破してしまう恐れが有った。
【考案の開示】
【考案が解決しようとする課題】
【０００３】水を入れた円すい形の緩衝材は縦に積み重ねる事や、横に隙間無く設置することが難しかった。従って、ペットボトルを詰め込んで出来た強化プラスチック枠のブロックは何段も積み上げる事や、横に隙間無く並べることが可能で、ペットボトルに充填する水の量を調節すれば重量の調節が可能になり、車両の衝突でもペットボトルを詰め込んで出来た強化プラスチック枠のブロックが衝撃を吸収して車の乗員の生命や財産を守る事が可能になり、前述の欠点を解決しようとするものである。
【課題を解決するための手段】
【０００４】本考案は、使用済みのペットボトルに水を入れるか、又は、空のままキャップを完全に閉めた状態にして、強化プラスチック枠の下段に並べて置く、強化プラスチック枠の下段がペットボトルで満杯になったら接着面に強力な接着剤を充填して強化プラスチック枠の上段を強化プラスチック枠の下段に被せて完全に接着する、組み立てが完了した強化プラスチック枠のブロックを縦に何段も積み上げ、又は、横に繋げて並べ、強力な接着剤で接着しベルトなどで強化プラスチック枠のブロックをまとめて固定すれば組み合わせが自由に変える事が出来る緩衝材が出来ることにより問題点を解決している。
【考案の効果】
【０００５】上述の様に、ペットボトルを詰め込んだ強化プラスチック枠の下段と強化プラスチック枠の上段を接着して出来上がった強化プラスチック枠のブロックを接着しながら何段も縦に積み上げ、又は、横に隙間無く並べれば道路の現場に合わせた設置が可能である、強化プラスチック枠のブロックに車両が衝突しても衝撃は、強化プラスチック枠のブロックに収められたペットボトルに伝わりペットボトル一つ一つが衝撃を分散して吸収する為、事故による車両の大破が防げる。
【考案を実施するための最良の形態】
【０００６】本考案は、使用済みのペットボトルに水を入れるか、又は、空のままキャップを完全に閉めた状態にして強化プラスチック枠の下段に並べて置く、強化プラスチック枠の下段がペットボトルで満杯になったら強化プラスチック枠の接着面に強力な接着剤を充填して強化プラスチック枠の上段を強化プラスチック枠の下段に被せて完全に接着する。この様にして出来た強化プラスチック枠のブロックを何個でも横に繋げる様に接着したり、縦に何段にも積み上げて接着したりすれば、設置する道路の現場に合わせて設置が容易に出来るため、どんな道路状況にも対応が可能な緩衝材が提供できる。
【実施例】
【０００７】以下、添付図面に従って一実施例を説明する。使用済みのペットボトル３が縦に隙間なく納まる様にペットボトル３の形状と同じ上半分のへこみ６とペットボトル３の形状と同じ下半分のへこみ７を模った強化プラスチック枠を用意し、ペットボトル３の形状と同じ上半分のへこみ６は強化プラスチック枠の上段２にして、ペットボトルの形状と同じ下半分のへこみ７を強化プラスチック枠の下段１とする、強化プラスチック枠の下段１に水を入れるか又は空のままキャップ４を完全に閉めたペットボトル３を並べて置く、強化プラスチック枠の下段１がペットボトル３で満杯になったら強化プラスチック枠の接着面５に強力な接着剤を充填して強化プラスチック枠の上段２を強化プラスチック枠の下段１に被せて完全に接着する。この様にして出来た強化プラスチック枠のブロックを何個でも横に繋げる様に接着したり、縦に何段にも積み上げて接着したりすれば、設置する道路の現場に合わせて設置が容易に出来るため、どんな状況にも対応が可能な緩衝材が提供できる。
【図面の簡単な説明】
【０００８】
【図１】本考案の強化プラスチックの下段の図である。
【図２】上述の［図１］を内側から見た図である。
【図３】本考案の強化プラスチックの上段の図である。
【図４】上述の［図３］を内側から見た図である。
【図５】本考案の強化プラスチックの上段下段を接着した状態の断面図である。
【図６】上述の［図５］のブロックを縦と横にまとめて接着しベルトで固定した図である。
【符号の説明】
【０００９】１  強化プラスチック枠の下段。
２  強化プラスチック枠の上段。
３  ペットボトル。
４  ペットボトルのボトルキャップ。
５  強化プラスチック枠の上段と下段を接着する為の接着面。
６  ペットボトル３の形状と同じ上半分のへこみ。
７  ペットボトル３の形状と同じ下半分のへこみ。
８  強化プラスチック枠のブロックを横に繋げる様に接着し、縦に何段にも積み上げて接着する為の接着面。
９  強化プラスチック枠のブロックを横に繋げる様に接着し、縦に何段にも積み上げて接着したブロックをさらにベルトで固定するベルト。
【図１】
0003116770.tif 000003
【図２】
0003116770.tif 000004
【図３】
0003116770.tif 000005
【図４】
0003116770.tif 000006
【図５】
0003116770.tif 000007
【図６】
0003116770.tif 000008
【手続補正書】
【提出日】平成17年8月18日(2005.8.18)
【手続補正１】
【補正対象書類名】実用新案登録請求の範囲
【補正対象項目名】全文
【補正方法】変更
【補正の内容】
【実用新案登録請求の範囲】
【請求項１】
ペットボトルが縦に隙間なく納められる強化プラスチック枠で、ペットボトル下半分のへこみが施された下段に、ペットボトルを並べて置き、ペットボトル上半分のへこみが施された上段を被せて接着を施す、この様なブロックを、ベルトなどでまとめて固定することにより、強化プラスチック枠のブロックに車両が衝突しても衝撃は、ブロック内のペットボトルに伝わりペットボトル一つ一つが衝撃を分散して吸収することを特徴とする、車両の激突における衝撃の緩衝材。